(57)【要約】      （修正有）【課題】利用者の求めるタイミングにおいて利用者の嗜好や興味関心にマッチした広告を表示する。【解決手段】本広告配信システムは、コンテンツを配信するコンテンツ配信装置と、広告を配信する広告配信装置と、広告を表示する表示端末とを含む広告配信システムであって、表示端末は、イメージ画像を含むコンテンツを表示するコンテンツ表示手段と、イメージ画像がユーザーにより操作された場合、イメージ画像を含む広告配信要求を送信する広告配信要求手段と、オブジェクトの画像領域Ｃ１〜Ｃ３をイメージ画像３０ａ上に図示し図示した一のオブジェクトの画像領域がユーザーにより操作された場合、オブジェクトに基づいて検索された広告を、イメージ画像と差し替えて表示する広告表示手段とを有する。【選択図】図８
2019003528.tif 000002
【特許請求の範囲】
【請求項１】
コンテンツを配信するコンテンツ配信装置と、広告を配信する広告配信装置と、前記広告を表示する表示端末とを含む広告配信システムであって、
前記コンテンツ配信装置は、
少なくともイメージ画像を含むコンテンツを、前記表示端末に配信するコンテンツ配信手段と、を有し、
前記広告配信装置は、
広告と、該広告の有する属性情報とを関連付けて記憶した記憶手段と、
前記表示端末から前記イメージ画像を含む広告配信要求を受信した場合、該イメージ画像に含まれるオブジェクトを認識し、該オブジェクトの画像領域と、該オブジェクトの属性情報とを取得する画像処理手段と、
前記オブジェクトの属性情報に基づいて、前記記憶手段から広告を検索する広告検索手段と、
前記オブジェクトの画像領域と、該オブジェクトに基づいて検索された前記広告とを、前記表示端末に配信する広告配信手段と、を有し、
前記表示端末は、
前記コンテンツ配信装置から配信された前記イメージ画像を含むコンテンツを表示するコンテンツ表示手段と、
表示された前記イメージ画像がユーザーにより操作された場合、該イメージ画像を含む広告配信要求を、前記広告配信装置に送信する広告配信要求手段と、
前記オブジェクトの画像領域を前記イメージ画像上に図示し、図示した一の前記オブジェクトの画像領域がユーザーにより操作された場合、操作されたオブジェクトに基づいて検索された前記広告を、前記イメージ画像と差し替えて表示する広告表示手段と、
を有することを特徴とする広告配信システム。
【請求項２】
前記オブジェクトの画像領域の数が単数の場合であって、
前記広告表示手段は、
前記オブジェクトの画像領域を前記イメージ画像上に図示を省略し、図示を省略した前記オブジェクトの画像領域がユーザーにより操作されたとみなして、操作されたとみなしたオブジェクトに基づいて検索された前記広告を、前記イメージ画像と差し替えて表示すること、
を特徴とする請求項１に記載の広告配信システム。
【請求項３】
前記配信手段により配信される前記コンテンツは、更にテキストを含み、
前記イメージ画像は、前記テキストと関連したイメージ画像であること、
を特徴とする請求項１又は２に記載の広告配信システム。
【請求項４】
前記広告表示手段は、
表示する広告が複数である場合、広告の一覧を、前記イメージ画像と差し替えて表示すること、
を特徴とする請求項１ないし３何れか一項に記載の広告配信システム。
【請求項５】
前記広告は、該広告の商品に関する情報が掲載されたＵＲＬを含むこと、
を特徴とする請求項１ないし４何れか一項に記載の広告配信システム。
【請求項６】
広告の表示端末であって、
イメージ画像を含むコンテンツを表示するコンテンツ表示手段と、
表示された前記イメージ画像がユーザーにより操作された場合、該イメージ画像を含む広告配信要求を、広告配信装置に送信する広告配信要求手段と、
前記オブジェクトの画像領域と、該オブジェクトに基づいて検索された前記広告とを、前記広告配信装置から受信する広告受信手段と、
前記オブジェクトの画像領域を前記イメージ画像上に図示し、図示した一の前記オブジェクトの画像領域がユーザーにより操作された場合、操作されたオブジェクトに基づいて検索された前記広告を、前記イメージ画像と差し替えて表示する広告表示手段と、
を有することを特徴とする表示端末。
【請求項７】
前記オブジェクトの画像領域の数が単数の場合であって、
前記広告表示手段は、
前記オブジェクトの画像領域を前記イメージ画像上に図示を省略し、図示を省略した前記オブジェクトの画像領域がユーザーにより操作されたとみなして、操作されたとみなしたオブジェクトに基づいて検索された前記広告を、前記イメージ画像と差し替えて表示すること、
を特徴とする請求項６に記載の表示端末。
【請求項８】
前記コンテンツは、更にテキストを含み、
前記イメージ画像は、前記テキストと関連したイメージ画像であること、
を特徴とする請求項６又は７に記載の表示端末。
【請求項９】
前記広告表示手段は、
表示する広告が複数である場合、広告の一覧を、前記イメージ画像と差し替えて表示すること、
を特徴とする請求項６ないし８何れか一項に記載の表示端末。
【請求項１０】
前記広告は、該広告の商品に関する情報が掲載されたＵＲＬを含むこと、
を特徴とする請求項６ないし９何れか一項に記載の表示端末。
【請求項１１】
コンピュータを、
イメージ画像を含むコンテンツを表示するコンテンツ表示手段と、
表示された前記イメージ画像がユーザーにより操作された場合、該イメージ画像を含む広告配信要求を、広告配信装置に送信する広告配信要求手段と、
前記オブジェクトの画像領域と、該オブジェクトに基づいて検索された前記広告とを、前記広告配信装置から受信する広告受信手段と、
前記オブジェクトの画像領域を前記イメージ画像上に図示し、図示した一の前記オブジェクトの画像領域がユーザーにより操作された場合、操作されたオブジェクトに基づいて検索された前記広告を、前記イメージ画像と差し替えて表示する広告表示手段と、
として機能させるための表示プログラム。
【発明の詳細な説明】
【技術分野】
【０００１】
本発明は、広告配信システム、広告の表示端末及び表示プログラムに関する。
【背景技術】
【０００２】
従来より、インターネット広告において、ウェブサイト上に利用者（閲覧者）の嗜好や興味関心にあった広告を表示することで、広告効果を高めようとする手法が知られている。
【０００３】
例えば、ターゲッティング広告は、広告の対象となる利用者の行動履歴等を元に、利用者の嗜好や興味関心にマッチした広告の配信を行う（例えば、特許文献１参照）。また、コンテンツ連動型広告は、そのウェブサイト内のコンテンツやキーワードに基づいてそのサイトにあった広告を掲載する（例えば、特許文献２参照）。
【先行技術文献】
【特許文献】
【０００４】
【特許文献１】特開２０１６−２１８５１０号公報
【特許文献２】特許第５３１１３７８号
【発明の概要】
【発明が解決しようとする課題】
【０００５】
しかしながら、上記特許文献１、２記載の発明によって、必ずしも利用者の嗜好や興味関心にマッチした広告がいつも表示されるとは限られない。また、利用者が純粋にウェブサイト内のコンテンツ（記事）のみを閲覧したいような場合、広告の表示自体を煩わしく感じさせてしまう可能性がある。
【０００６】
本発明は、上記の点に鑑み提案されたものであり、一つの側面では、利用者の求めるタイミングにおいて利用者の嗜好や興味関心にマッチした広告を表示する広告配信システムを提供することを目的とする。
【課題を解決するための手段】
【０００７】
上記の課題を解決するため、本発明に係る広告配信システムは、コンテンツを配信するコンテンツ配信装置と、広告を配信する広告配信装置と、前記広告を表示する表示端末とを含む広告配信システムであって、前記コンテンツ配信装置は、少なくともイメージ画像を含むコンテンツを、前記表示端末に配信するコンテンツ配信手段と、を有し、前記広告配信装置は、広告と、該広告の有する属性情報とを関連付けて記憶した記憶手段と、前記表示端末から前記イメージ画像を含む広告配信要求を受信した場合、該イメージ画像に含まれるオブジェクトを認識し、該オブジェクトの画像領域と、該オブジェクトの属性情報とを取得する画像処理手段と、前記オブジェクトの属性情報に基づいて、前記記憶手段から広告を検索する広告検索手段と、前記オブジェクトの画像領域と、該オブジェクトに基づいて検索された前記広告とを、前記表示端末に配信する広告配信手段と、を有し、前記表示端末は、前記コンテンツ配信装置から配信された前記イメージ画像を含むコンテンツを表示するコンテンツ表示手段と、表示された前記イメージ画像がユーザーにより操作された場合、該イメージ画像を含む広告配信要求を、前記広告配信装置に送信する広告配信要求手段と、前記オブジェクトの画像領域を前記イメージ画像上に図示し、図示した一の前記オブジェクトの画像領域がユーザーにより操作された場合、操作されたオブジェクトに基づいて検索された前記広告を、前記イメージ画像と差し替えて表示する広告表示手段と、を有する。
【発明の効果】
【０００８】
本発明の実施の形態によれば、利用者の求めるタイミングにおいて利用者の嗜好や興味関心にマッチした広告を表示することができる。
【図面の簡単な説明】
【０００９】
【図１】本実施形態に係る広告配信システムの構成例を示す図である。
【図２】本実施形態に係るコンテンツ配信サーバ１０及び広告配信サーバ２０のハードウェア構成例を示す図である。
【図３】本実施形態に係る広告配信システム１００のソフトウェア構成例を示す図である。
【図４】本実施形態に係る広告ＤＢのデータ例を示す図である。
【図５】本実施形態に係る表示端末のコンテンツ表示画面例１を示す図である。
【図６】本実施形態に係る表示端末のコンテンツ表示画面例２を示す図である。
【図７】本実施形態に係る表示端末のコンテンツ表示画面例３を示す図である。
【図８】本実施形態に係る表示端末のコンテンツ表示画面例４を示す図である。
【図９】本実施形態に係る表示端末のコンテンツ表示画面例５を示す図である。
【図１０】本実施形態に係る広告配信処理を示すフローチャート図である。
【図１１】本実施形態に係るオブジェクト認識処理を示す図である。
【図１２】本実施形態に係る広告表示処理を示すフローチャート図である。
【発明を実施するための形態】
【００１０】
本発明の実施の形態について、図面を参照しつつ詳細に説明する。
【００１１】
＜システム構成＞
（ネットワーク構成）
図１は、本実施形態に係る広告配信システムの構成例を示す図である。図１の広告配信システム１００は、コンテンツ配信サーバ１０、広告配信サーバ２０、及び表示端末３０を含み、ネットワーク５０を介して接続されている。
【００１２】
コンテンツ配信サーバ１０は、例えばニュース記事やブログ記事等のコンテンツ（コンテンツ・ページ）を配信する装置である。本実施形態に係るコンテンツは、例えばニュース記事やブログ記事等のテキスト（文章）と、テキストと共に添付又は挿入されたイメージ画像とを含む。イメージ画像はテキストと共に添付又は挿入されるため、テキストの記事内容と一定の関連性を有するものである場合が多い。
【００１３】
コンテンツ配信サーバ１０は、表示端末３０からの要求に応じて、表示端末３０が有する所定のアプリケーション・プログラムにコンテンツを配信する。表示端末３０は、アプリケーション画面上に配信コンテンツを表示する。例えばコンテンツ配信サーバ１０がウェブサーバである場合には、配信されるコンテンツはウェブページであり、表示端末３０のウェブブラウザ上に当該ウェブページが表示される。
【００１４】
広告配信サーバ２０は、表示端末３０に表示される広告を配信する装置である。広告配信サーバ２０は、表示端末３０又はコンテンツ配信サーバ１０からの要求に応じて、表示端末３０に表示される広告を配信する。
【００１５】
表示端末３０は、利用者（ユーザー）が利用するパーソナルコンピュータ、スマートフォン、タブレット端末、携帯電話などを含む各種の情報表示端末である。ウェブブラウザや専用アプリなど、コンテンツを表示するためのアプリケーション・プログラムが予めインストールされる。
【００１６】
ネットワーク５０は、有線、無線を含む通信ネットワークである。ネットワーク５０は、例えば、インターネット、公衆回線網、ＷｉＦｉ（登録商標）などを含む。
【００１７】
（ハードウェア構成）
図２は、本実施形態に係るコンテンツ配信サーバ１０及び広告配信サーバ２０のハードウェア構成例を示す図である。図２に示されるように、コンテンツ配信サーバ１０及び広告配信サーバ２０は、ＣＰＵ（Central Processing Unit）１１、ＲＯＭ（Read Only Memory）１２、ＲＡＭ（Random Access Memory）１３、ＨＤＤ（Hard Disk Drive）１４、及び通信装置１５を有する。
【００１８】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。通信装置１５は、ネットワーク５０を介して他装置との通信を行う。
【００１９】
（ソフトウェア構成）
図３は、本実施形態に係る広告配信システム１００のソフトウェア構成例を示す図である。
【００２０】
コンテンツ配信サーバ１０は、主な機能部として、コンテンツ配信部１０１を有する。
【００２１】
コンテンツ配信部１０１は、少なくともイメージ画像を含むコンテンツを、表示端末３０に配信する。また、コンテンツがニュース記事やブログ記事といったテキストである場合、コンテンツ内のイメージ画像はテキストの記事内容と関連したイメージ画像である。
【００２２】
広告配信サーバ２０は、主な機能部として、記憶部２０１、広告配信要求受信部２０２、画像処理部２０３、広告検索部２０４、広告配信部２０５を有する。
【００２３】
記憶部２０１は、入稿された広告と、広告の有する属性情報とを関連付けて、広告ＤＢ（Database）２０１ａに記憶する。
【００２４】
広告配信要求受信部２０２は、表示端末３０からイメージ画像を含む広告配信要求を受信する。
【００２５】
画像処理部２０３は、表示端末３０からイメージ画像を含む広告配信要求を受信した場合、イメージ画像に含まれるオブジェクトを認識し、オブジェクトの画像領域と、オブジェクトの属性情報とを取得する。
【００２６】
広告検索部２０４は、オブジェクトの属性情報に基づいて、オブジェクトの属性情報と一致する属性情報を有する広告を検索する。
【００２７】
広告配信部２０５は、オブジェクトの画像領域と、オブジェクトに基づいて検索された広告とを、表示端末３０に配信する。
【００２８】
表示端末３０は、主な機能部として、コンテンツ表示部３０１、広告配信要求部３０２、広告受信部３０３、広告表示部３０４を有する。
【００２９】
コンテンツ表示部３０１は、広告配信サーバ２０から配信されたコンテンツをディスプレイ上に表示する。
【００３０】
広告配信要求部３０２は、表示されたイメージ画像がユーザーにより操作（タップ操作等）された場合、イメージ画像を含む広告配信要求を、広告配信サーバ２０に送信する。
【００３１】
広告受信部３０３は、オブジェクトの画像領域と、オブジェクトに基づいて検索された広告とを、広告配信サーバ２０から受信する。
【００３２】
広告表示部３０４は、オブジェクトの画像領域をイメージ画像上に図示（ガイド）し、図示した一のオブジェクトの画像領域がユーザーにより操作された場合、操作されたオブジェクトに基づいて検索された広告を、イメージ画像と差し替えて表示する。
【００３３】
なお、各機能部は、コンテンツ配信サーバ１０、広告配信サーバ２０、及び表示端末３０を構成するコンピュータのＣＰＵ、ＲＯＭ、ＲＡＭ等のハードウェア資源上で実行されるコンピュータプログラムによって実現されるものである。これらの機能部は、「手段」、「モジュール」、「ユニット」、又は「回路」に読替えてもよい。
【００３４】
また、広告配信システム１００の各機能部の配置はあくまで一例であり、システムの構成上、広告配信システム１００全体として各機能部を有していればよい。例えば、記憶部２０１は例えば他のＤＢサーバに配置されてもよいし、コンテンツ配信サーバ１０及び広告配信サーバ２０が同一のサーバとして構成されてもよい。また、画像処理部２０３を更に他のサーバに配置し、広告配信サーバ２０は画像処理結果のみを受信するようにしてもよい。
【００３５】
（広告ＤＢ）
図４は、本実施形態に係る広告ＤＢのデータ例を示す図である。広告ＤＢ２０１ａは、配信される広告を管理するデータベースである。図４の広告ＤＢ２０１ａは、例えば、「広告ＩＤ」、「広告主ＩＤ」、「広告（広告商品）」、「広告の属性情報」、「価格」、「広告データ」、「広告ＵＲＬ」などのデータ項目を有する。
【００３６】
「広告ＩＤ」は、入稿された広告毎に付番された固有の広告識別子を示す。
【００３７】
「広告主ＩＤ」は、入稿された広告の広告主毎に付番された固有の広告主識別子を示す。なお、広告ＤＢ２０１ａは、各々の「広告主ＩＤ」に対応した広告主の情報が登録された広告主マスターを有する（非図示）。
【００３８】
「広告（広告商品）」は、広告の広告名や商品名を示す。
【００３９】
「広告の属性情報」は、広告入稿の際、併せて登録される広告の属性情報を示す。広告の属性情報は、例えば、広告のアイテム名やキーワードを示す「アイテム」、アイテムの属する「カテゴリ」、アイテム色を示す「カラー」、アイテムに適した「性別」などを有する。
【００４０】
「価格」は、広告（広告商品）の価格を示す。
【００４１】
「広告データ」は、表示端末３０に配信される広告のデータを示す。
【００４２】
「広告ＵＲＬ」は、表示端末３０に配信される広告のＵＲＬを示す。広告のＵＲＬは、広告が操作された際に遷移するリンク情報として用いられ、例えば広告商品が販売されるウェブサイトのＵＲＬである。
【００４３】
＜広告表示例＞
（コンテンツ表示）
図５は、本実施形態に係る表示端末のコンテンツ表示画面例１を示す図である。
【００４４】
本実施形態に係るコンテンツ３０ａは、当該コンテンツのテキスト記事Ａ１、Ａ２、及びイメージ画像Ｂを含む。また、イメージ画像Ｂはテキスト記事Ａ１、Ａ２の内容を補助しイメージさせるために挿入される画像のため、テキスト記事Ａ１、Ａ２の内容と関連したイメージ画像（但し、非広告画像）となっている。
【００４５】
具体的にコンテンツ３０ａは、「今流行のコーティネイト  ２０１７」とのコンテンツ・ページである。テキスト記事Ａ１、Ａ２は、タイトスカートの着こなしに関する記事であり、イメージ画像Ｂは、タイトスカートの着こなしを具体的にイメージさせるため、タイトスカートを着こなしているモデル画像が挿入されている。
【００４６】
また、例えばコンテンツが趣味関係の記事であればその趣味に関連したアイテムのイメージ画像、旅行関係の記事であればその旅行先の風景や自然（海、山等）、観光施設などのイメージ画像が挿入されうる。一般に、コンテンツの著者は自己の記事内容を補完したり、読み手に伝えやすくしたり読みやすくする、又は見た目や見栄えを豊かにする等の目的から、記事等のテキスト（文章）だけではなく、コンテンツ内に関連性・親和性の高いイメージ画像を選別して添付又は挿入して、テキスト（文章）を作成する。
【００４７】
（イメージ画像操作）
図６は、本実施形態に係る表示端末のコンテンツ表示画面例２を示す図である。
【００４８】
上述したように、コンテンツ内のイメージ画像はテキスト（記事）と関連性を有している。このため、実際にまさにそのテキスト（記事）を閲覧しているユーザーにとって、そのイメージ画像に対しても興味関心を覚える可能性が高い。
【００４９】
よって、ユーザーがテキスト（記事）の閲覧中、そのイメージ画像に興味関心を覚えた場合、広告を表示させるための操作ステップとしてイメージ画像を操作する。
【００５０】
なお、ユーザーの操作方法については、タップ、タッチ、クリック、又は選択操作などいずれでもよく、表示端末３０がイメージ画像に対する操作指示が発生したことを検知できればよい。イメージ画像が操作されると、図７のコンテンツ表示画面へ遷移する。
【００５１】
（イメージ画像操作）
図７は、本実施形態に係る表示端末のコンテンツ表示画面例３を示す図である。
【００５２】
図７に示されるように、イメージ画像３０ａに含まれるオブジェクトが認識されることで、オブジェクトの画像領域Ｃが図示されていることが分かる。即ちイメージ画像３０ａにおけるオブジェクト認識処理の結果、図７の場合には３つのオブジェクト（対象物）が認識され、そのオブジェクトの位置する領域として画像領域Ｃ１、Ｃ２、及びＣ３がガイド枠により図示されている状態である。
【００５３】
（オブジェクトの領域操作）
図８は、本実施形態に係る表示端末のコンテンツ表示画面例４を示す図である。
【００５４】
図８に示されるように、表示端末３０のユーザーは広告を表示させるための操作ステップとして、イメージ画像において興味関心を覚えた一のオブジェクト（アイテム）の画像領域に対して操作を行う。オブジェクトの画像領域が操作されると、図９のコンテンツ表示画面へ遷移する。
【００５５】
（広告表示）
図９は、本実施形態に係る表示端末のコンテンツ表示画面例５を示す図である。
【００５６】
図９に示されるように、オブジェクトの画像領域が操作されると、ユーザーにより操作されたオブジェクトに基づいて検索された広告Ｄが、イメージ画像と差し替えられて表示される。言うまでもなくここで表示される広告Ｄは、ユーザー自身が選択したオブジェクト（アイテム）に関連する広告であり、即ちユーザー自身の興味関心にマッチした広告である。なお、該当する広告が複数検索された場合には広告一覧が表示される。
【００５７】
更に、ユーザーは表示された広告を操作することで、広告内に埋め込まれている「広告ＵＲＬ」に基づくウェブサイト等へ表示画面を遷移させ、当該広告商品の購入等を行うことが可能である。
【００５８】
なお、イメージ画像が広告Ｄへと切り替えられる際、ユーザーの目を引くために例えばフェードイン、ワイプ、キューブなどといったような切り替えの特殊効果を発生させてもよい。
【００５９】
＜情報処理＞
本実施形態に係る広告配信システム１００の情報処理について説明する。
【００６０】
（広告配信処理）
図１０は、本実施形態に係る広告配信処理を示すフローチャート図である。本広告配信処理の動作主体は広告配信サーバ２０である。
【００６１】
Ｓ１：広告配信要求受信部２０２は、表示端末３０からイメージ画像を含む広告配信要求を受信したか否かを判定する。広告配信要求を受信した場合、Ｓ２へ進む。
【００６２】
Ｓ２：画像処理部２０３は、表示端末３０からイメージ画像を含む広告配信要求を受信した場合、イメージ画像に含まれるオブジェクトを認識し、オブジェクトの画像領域（画像位置）と、オブジェクトの属性情報とを取得する。オブジェクト認識処理については、例えば下記のように従来手法を用いることが可能である。
【００６３】
図１１は、本実施形態に係るオブジェクト認識処理を示す図である。画像処理部２０３は予め学習データを有している。学習データは、予めオブジェクトとして認識したいアイテム品目の学習画像を多く収集し、学習画像のアイテム品目毎の特徴量を抽出して学習し、これを登録したものである。
【００６４】
画像処理部２０３は、イメージ画像を入力し、イメージ画像の画素値に基づいて特徴量を抽出する。画像処理部２０３は、抽出したイメージ画像の特徴量と、学習データに登録されたアイテム品目毎の特徴量とを比較することで、所定スコア以上近似するアイテム品目をイメージ画像のオブジェクトとして認識する（パターン認識）。これにより、イメージ画像中、認識したオブジェクトの位置する画像領域を取得するとともに、認識したオブジェクトのアイテム品目に対応して予め登録・学習されている属性情報（アイテム名や色等）を、そのオブジェクトの属性情報として取得する。
【００６５】
例えば、図７のＣ２のオブジェクトの場合、オブジェクト認識処理により認識されたスカート・オブジェクトの属性情報として、例えば、スカート、グリーン、女などが取得されうる。またオブジェクトの画像領域は、イメージ画像における座標情報（ｘ．ｙ）として取得され、画像領域を矩形として表示する場合には、例えば４点の座標情報（ｘ１．ｙ１）、（ｘ２．ｙ２）、（ｘ３．ｙ３）、（ｘ４．ｙ４）が取得されるか、又は、１点の座標情報（ｘ１．ｙ１）と、対向するもう１点の座標情報（ｘ３．ｙ３）が取得されうる。
【００６６】
Ｓ３：広告検索部２０４は、記憶部２０１を参照し、Ｓ２で取得したオブジェクトの属性情報に基づいて、オブジェクトの属性情報と一致する属性情報を有する広告を検索する。例えば、上述のように、スカート・オブジェクトの属性情報として、例えば、「スカート、グリーン、女」などが取得されており、広告ＤＢ２０１ａには、広告と、広告の有する属性情報とが登録されている（図５）。よって、オブジェクトの属性情報「スカート、グリーン、女」と一致する属性情報を有する広告として、例えば、「広告ＩＤ」００２、００３、００６の広告が検索される。
【００６７】
なお、認識されたオブジェクトのうち、当該オブジェクトの属性情報と一致する属性情報を有する広告を検索できない場合（当該オブジェクトに関連する広告の入稿が存在しない場合）、このようなオブジェクトは認識されたオブジェクトから除外する。
【００６８】
Ｓ４：広告配信部２０５は、Ｓ２で取得されたオブジェクトの画像領域と、Ｓ３でオブジェクトに基づいて検索された広告とを、広告配信要求に対応する応答として表示端末３０に配信する。なお、配信される広告は、利用者の広告閲覧に必要な情報として、例えば「広告データ」、「広告ＵＲＬ」を含み、更に「広告ＩＤ、「広告主ＩＤ」、「広告（広告商品）」、「価格」などを含んでもよい（図５）。
【００６９】
（広告表示処理）
図１２は、本実施形態に係る広告表示処理を示すフローチャート図である。本広告表示処理の動作主体は表示端末３０である。
【００７０】
Ｓ１１：コンテンツ表示部３０１は、広告配信サーバ２０からコンテンツを受信したか否かを判定する。上述したように、本実施形態に係るコンテンツは、例えばニュース記事やブログ記事等のテキストと、テキストと共に添付又は挿入されたイメージ画像とを含むコンテンツ・ページである。また、コンテンツがウェブページである場合には、表示端末３０のウェブブラウザを介してユーザーがウェブページ（ＨＴＭＬデータ等）の参照要求を実行することで、コンテンツが受信される。
【００７１】
Ｓ１２：コンテンツ表示部３０１は、コンテンツを受信した場合、受信したコンテンツを表示端末３０のディスプレイ上に表示する。
【００７２】
Ｓ１３：広告配信要求部３０２は、ディスプレイ上に表示されたコンテンツ内のイメージ画像がユーザーにより操作（タップ操作等）されたか否かを判定する。なお、表示端末３０がスマートフォンの場合、ディスプレイ上のタッチパネルによってイメージ画像に対するタップ操作が検知されることで、当該ユーザー操作を判定することができる。
【００７３】
Ｓ１４：広告配信要求部３０２は、イメージ画像がユーザーにより操作された場合、イメージ画像を含む広告配信要求を、広告配信サーバ２０に送信する。なお、広告配信要求部３０２は、広告配信要求を広告配信サーバ２０に送信するにあたり、広告配信サーバ２０のアドレス（例えばＵＲＬやＩＰアドレス）を予め有しているか、或いはコンテンツ・ページ又はイメージ画像に付加されている広告配信サーバ２０のアドレスを用いて広告配信サーバ２０にアクセスすることができる。
【００７４】
Ｓ１５：広告受信部３０３は、広告配信要求の応答として、オブジェクトの画像領域と、オブジェクトに基づいて検索された広告とを、広告配信サーバ２０から受信したか否かを判定する。受信した場合はＳ１６へ進む。
【００７５】
Ｓ１６：広告表示部３０４は、オブジェクトの画像領域と、オブジェクトに基づいて検索された広告とが受信された場合、オブジェクトの数が複数であるか否かを判定する。複数の場合はＳ１７へ進み、複数でない場合はＳ２０へ進む。
【００７６】
Ｓ１７：広告表示部３０４は、オブジェクトの画像領域をイメージ画像上に図示（ガイド）する。オブジェクトの数は複数であるため、一のイメージ画像上、オブジェクト毎の画像領域が図示される（図７）。
【００７７】
Ｓ１８：広告表示部３０４は、図示した一のオブジェクトの画像領域がユーザーにより操作（選択）されたか否かを判定する（図８）。
【００７８】
Ｓ１９：広告表示部３０４は、図示した一のオブジェクトの画像領域がユーザーにより操作された場合、操作されたオブジェクトに基づいて検索された広告を、イメージ画像と差し替えて表示する（図９）。イメージ画像が広告へと切り替えられる際、切り替えの特殊効果を発生させてもよい。
【００７９】
Ｓ２０：一方、オブジェクトの数が単数である場合であって、広告表示部３０４は、オブジェクトの画像領域の図示を省略するとの設定がなされているときは、Ｓ１９へ進む。
【００８０】
オブジェクトの数は単数である場合には、一のイメージ画像上、オブジェクトの画像領域を図示したとしても、一のオブジェクトの画像領域が図示されるだけである。よって、オブジェクトの数は単数である場合には、一のオブジェクトの画像領域の図示を省略し、当該一のオブジェクトの画像領域がユーザーにより操作されたものとみなすことで、ユーザーによる画像領域の操作（選択）の手間をかけることなく、一のオブジェクトに基づいて検索された広告を表示することができる。
【００８１】
具体的に、ユーザーがイメージ画像を操作すると、当該オブジェクトに基づいて検索された広告が、イメージ画像と差し替えられて表示される（図６から直接図９へ遷移）。なお、オブジェクトの画像領域の図示を省略するとの設定は、予め任意に設定することが可能である。
【００８２】
＜総括＞
以上のように、本実施形態に係る広告配信システム１００は、コンテンツ・ページ内のイメージ画像からオブジェクトが認識され、ユーザーが興味関心のあるオブジェクトの画像領域を操作すると、当該オブジェクトに関連する広告が当初のイメージ画像と差し替えられて表示される。
【００８３】
ユーザーが自らの意思で興味関心のある一のオブジェクトを選択することで、選択したオブジェクトに関連した広告が表示されるため、広告配信者は、ユーザーの嗜好や興味関心とマッチした広告効果の高い広告を配信できる（例えばクリック率が高い）。また、広告商品が販売されるウェブサイトへユーザーを誘導できる可能性を高めることができる。
【００８４】
また、イメージ画像は、コンテンツ・ページ内のテキスト（記事）と共に添付又は挿入された画像であるため、コンテンツ・ページの記事内容と関連性が高く、イメージ画像内のオブジェクト自体もユーザーとの親和性が高い。
【００８５】
また、広告はコンテンツ・ページ内において当初から表示されているものではなく、ユーザーの自らの意思でオブジェクトを選択した場合に表示される。よって、利用者が純粋にウェブサイト内のコンテンツ（記事）のみを閲覧したいような場合、広告の表示自体を煩わしく感じさせてしまうことがない。
【００８６】
また、広告は当初のイメージ画像と差し替えられて表示されるため、コンテンツ・ページ内において、他の位置に広告が表示される場合と比べて、視認上やデザイン上の煩雑さも小さい。
【００８７】
以上、本実施形態によれば、利用者の求めるタイミングにおいて利用者の嗜好や興味関心にマッチした広告を表示することが可能である。またこれにより、より広告効果の高い広告を配信することが可能である。
【００８８】
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００８９】
１０    コンテンツ配信サーバ
２０    広告配信サーバ
３０    表示端末
５０    ネットワーク
１００  広告配信システム
１０１  コンテンツ配信部
２０１  記憶部
２０２  広告配信要求受信部
２０３  画像処理部
２０４  広告検索部
２０５  広告配信部
３０１  コンテンツ表示部
３０２  広告配信要求部
３０３  広告受信部
３０４  広告表示部
【図１】
2019003528.tif 000003
【図２】
2019003528.tif 000004
【図３】
2019003528.tif 000005
【図４】
2019003528.tif 000006
【図５】
2019003528.tif 000007
【図６】
2019003528.tif 000008
【図７】
2019003528.tif 000009
【図８】
2019003528.tif 000010
【図９】
2019003528.tif 000011
【図１０】
2019003528.tif 000012
【図１１】
2019003528.tif 000013
【図１２】
2019003528.tif 000014
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
インターネット上のコンテンツを配信するコンテンツ配信装置と、広告を配信する広告配信装置と、前記広告を表示する表示端末とを含む広告配信システムであって、
前記コンテンツ配信装置は、
少なくともイメージ画像を含むコンテンツを、前記表示端末に配信するコンテンツ配信手段と、を有し、
前記広告配信装置は、
広告と、該広告商品の属性情報とを関連付けて記憶した記憶手段と、
前記表示端末から前記イメージ画像を含む広告配信要求を受信した場合、該イメージ画像中に含まれる複数のアイテムを画像認識し、該イメージ画像中において各々のアイテムが位置する画像領域と、該各々のアイテムの属性情報とを取得する画像処理手段と、
前記記憶手段から、前記各々のアイテムの属性情報と、前記広告商品の属性情報とが一致する広告を検索する広告検索手段と、
前記各々のアイテムが位置する画像領域と、前記広告検索手段により各々のアイテムに基づいて検索された前記広告とを、前記表示端末に配信する広告配信手段と、を有し、
前記表示端末は、
前記コンテンツ配信装置から配信された前記イメージ画像を含むコンテンツを表示するコンテンツ表示手段と、
表示された前記イメージ画像がユーザーにより操作された場合、該イメージ画像を含む広告配信要求を、前記広告配信装置に送信する広告配信要求手段と、
前記各々のアイテムが位置する画像領域と、前記広告検索手段により各々のアイテムに基づいて検索された前記広告とを、前記広告配信装置から受信する広告受信手段と、
前記各々のアイテムが位置する画像領域を前記イメージ画像上に図示し、図示した該各々のアイテムが位置する画像領域のうち一のアイテムが位置する画像領域がユーザーにより操作された場合、操作された該一のアイテムに基づいて検索された前記広告を、前記イメージ画像と差し替えて表示する広告表示手段と、
を有することを特徴とする広告配信システム。
【請求項２】
前記コンテンツは、更にテキストを含み、
前記イメージ画像は、前記テキストと関連したイメージ画像であること、
を特徴とする請求項１に記載の広告配信システム。
【請求項３】
前記広告表示手段は、
表示する広告が複数である場合、広告の一覧を、前記イメージ画像と差し替えて表示すること、
を特徴とする請求項１又は２に記載の広告配信システム。
【請求項４】
前記広告は、該広告商品に関する情報が掲載されたＵＲＬを含むこと、
を特徴とする請求項１ないし３何れか一項に記載の広告配信システム。
【請求項５】
広告の表示端末であって、
イメージ画像を含むインターネット上のコンテンツを表示するコンテンツ表示手段と、
表示された前記イメージ画像がユーザーにより操作された場合、該イメージ画像を含む広告配信要求を、広告配信装置に送信する広告配信要求手段と、
前記イメージ画像中に含まれる各々のアイテムが位置する画像領域と、該各々のアイテムの属性情報と広告商品の属性情報とが一致して検索された広告とを、前記広告配信装置から受信する広告受信手段と、
前記各々のアイテムが位置する画像領域を前記イメージ画像上に図示し、図示した該各々のアイテムが位置する画像領域のうち一のアイテムが位置する画像領域がユーザーにより操作された場合、操作された該一のアイテムに基づいて検索された前記広告を、前記イメージ画像と差し替えて表示する広告表示手段と、
を有することを特徴とする表示端末。
【請求項６】
前記コンテンツは、更にテキストを含み、
前記イメージ画像は、前記テキストと関連したイメージ画像であること、
を特徴とする請求項５に記載の表示端末。
【請求項７】
前記広告表示手段は、
表示する広告が複数である場合、広告の一覧を、前記イメージ画像と差し替えて表示すること、
を特徴とする請求項５又は６に記載の表示端末。
【請求項８】
前記広告は、該広告の商品に関する情報が掲載されたＵＲＬを含むこと、
を特徴とする請求項５ないし７何れか一項に記載の表示端末。
【請求項９】
コンピュータを、
イメージ画像を含むインターネット上のコンテンツを表示するコンテンツ表示手段と、
表示された前記イメージ画像がユーザーにより操作された場合、該イメージ画像を含む広告配信要求を、広告配信装置に送信する広告配信要求手段と、
前記イメージ画像中に含まれる各々のアイテムが位置する画像領域と、該各々のアイテムの属性情報と広告商品の属性情報とが一致して検索された広告とを、前記広告配信装置から受信する広告受信手段と、
前記各々のアイテムが位置する画像領域を前記イメージ画像上に図示し、図示した該各々のアイテムが位置する画像領域のうち一のアイテムが位置する画像領域がユーザーにより操作された場合、操作された該一のアイテムに基づいて検索された前記広告を、前記イメージ画像と差し替えて表示する広告表示手段として機能させるための表示プログラム。
【請求項１０】
インターネット上のコンテンツを配信するコンテンツ配信装置と、広告を配信する広告配信装置と、前記広告を表示するコンピュータの表示プログラムとを含む広告配信システムであって、
前記コンテンツ配信装置は、
少なくともイメージ画像を含むコンテンツを、前記表示端末に配信するコンテンツ配信手段と、を有し、
前記広告配信装置は、
広告と、該広告商品の属性情報とを関連付けて記憶した記憶手段と、
前記表示端末から前記イメージ画像を含む広告配信要求を受信した場合、該イメージ画像中に含まれる複数のアイテムを画像認識し、該イメージ画像中において各々のアイテムが位置する画像領域と、該各々のアイテムの属性情報とを取得する画像処理手段と、
前記記憶手段から、前記各々のアイテムの属性情報と、前記広告商品の属性情報とが一致する広告を検索する広告検索手段と、
前記各々のアイテムが位置する画像領域と、前記広告検索手段により各々のアイテムに基づいて検索された前記広告とを、前記表示端末に配信する広告配信手段と、を有し、
前記表示プログラムは、
前記コンピュータを、
前記コンテンツ配信装置から配信された前記イメージ画像を含むコンテンツを表示するコンテンツ表示手段と、
表示された前記イメージ画像がユーザーにより操作された場合、該イメージ画像を含む広告配信要求を、前記広告配信装置に送信する広告配信要求手段と、
前記各々のアイテムが位置する画像領域と、前記広告検索手段により各々のアイテムに基づいて検索された前記広告とを、前記広告配信装置から受信する広告受信手段と、
前記各々のアイテムが位置する画像領域を前記イメージ画像上に図示し、図示した該各々のアイテムが位置する画像領域のうち一のアイテムが位置する画像領域がユーザーにより操作された場合、操作された該一のアイテムに基づいて検索された前記広告を、前記イメージ画像と差し替えて表示する広告表示手段として機能させること、
を特徴とする広告配信システム。
【手続補正２】
【補正対象書類名】明細書
【補正対象項目名】０００７
【補正方法】変更
【補正の内容】
【０００７】
上記の課題を解決するため、本発明に係るデジタルサイネージ制御装置は、インターネット上のコンテンツを配信するコンテンツ配信装置と、広告を配信する広告配信装置と、前記広告を表示する表示端末とを含む広告配信システムであって、前記コンテンツ配信装置は、少なくともイメージ画像を含むコンテンツを、前記表示端末に配信するコンテンツ配信手段と、を有し、前記広告配信装置は、広告と、該広告商品の属性情報とを関連付けて記憶した記憶手段と、前記表示端末から前記イメージ画像を含む広告配信要求を受信した場合、該イメージ画像中に含まれる複数のアイテムを画像認識し、該イメージ画像中において各々のアイテムが位置する画像領域と、該各々のアイテムの属性情報とを取得する画像処理手段と、前記記憶手段から、前記各々のアイテムの属性情報と、前記広告商品の属性情報とが一致する広告を検索する広告検索手段と、前記各々のアイテムが位置する画像領域と、前記広告検索手段により各々のアイテムに基づいて検索された前記広告とを、前記表示端末に配信する広告配信手段と、を有し、前記表示端末は、前記コンテンツ配信装置から配信された前記イメージ画像を含むコンテンツを表示するコンテンツ表示手段と、表示された前記イメージ画像がユーザーにより操作された場合、該イメージ画像を含む広告配信要求を、前記広告配信装置に送信する広告配信要求手段と、前記各々のアイテムが位置する画像領域と、前記広告検索手段により各々のアイテムに基づいて検索された前記広告とを、前記広告配信装置から受信する広告受信手段と、前記各々のアイテムが位置する画像領域を前記イメージ画像上に図示し、図示した該各々のアイテムが位置する画像領域のうち一のアイテムが位置する画像領域がユーザーにより操作された場合、操作された該一のアイテムに基づいて検索された前記広告を、前記イメージ画像と差し替えて表示する広告表示手段とを有する。